(57)【要約】【課題】簡素化、小型化および低コスト化を実現することができるようにして、紙粉等の異物が装置本体内に侵入するのを防止することができる画像読取装置および画像形成装置を提供すること。【解決手段】スリットガラス３６の下面の一端縁から突出する薄型弾性部材７２をガイド部材７１の一端縁に設けられた凹部７１ｃに挿通し、凹部７１ｃによって薄型弾性部材７２の上下面を覆うように薄型弾性部材７２を挟み込むように構成した。【選択図】図３
2009118154.tif 000002
【特許請求の範囲】
【請求項１】
搬送中の原稿の画像面を読取る画像読取手段と、前記画像読取手段に対向して設けられ、前記原稿が搬送される搬送面を有するスリットガラスと、前記スリットガラスに対して原稿の搬送方向下流側に前記スリットガラスに隣接して設けられ、前記スリットガラスから原稿を掬い上げるように原稿の搬送方向下流側に向かって上方に傾斜する傾斜面を有するガイド部材と、前記スリットガラスの下面の一端縁から突出して設けられ、前記スリットガラスの長手方向に亘って延在する弾性部材とを備えた画像読取装置において、
前記スリットガラスに対向する前記ガイド部材の一端縁に凹部を設け、前記凹部は、前記弾性部材の上下面を覆うように前記弾性部材を挟み込むことを特徴とする画像形成装置。
【請求項２】
前記弾性部材の突出方向先端部が、前記スリットガラスの下面の一端縁に対して上方に位置していることを特徴とする請求項１に記載の画像読取装置。
【請求項３】
前記凹部が、前記弾性部材の上下面を覆う底板および上板を有し、前記底板が原稿の搬送方向下流側に向かうに従って上方に傾斜する傾斜面を有することを特徴とする請求項１または請求項２に記載の画像読取装置。
【請求項４】
前記弾性部材の突出長さが、前記凹部の深さよりも長く形成され、前記弾性部材の突出方向先端部が、上方に屈曲することを特徴とする請求項１〜請求項３の何れか１項に記載の画像読取装置。
【請求項５】
前記凹部の底板が延在部を有し、前記延在部は、前記凹部の上板に対して前記スリットガラス側に延在し、前記延在部に前記スリットガラスが載置されることを特徴とする請求項１〜請求項４の何れか１項に記載の画像読取装置。
【請求項６】
前記ガイド部材の傾斜面の前記スリットガラス側端縁が、原稿の搬送方向上流側に向かって上方に傾斜することを特徴とする請求項１〜請求項５の何れか１項に記載の画像読取装置。
【請求項７】
前記弾性部材が、表面に粘着性を有する粘着性弾性体を有することを特徴とする請求項１〜請求項６の何れか１項に記載の画像読取装置。
【請求項８】
記録媒体に画像を形成する画像形成手段と、請求項１〜請求項７の何れか１項に記載の画像読取装置とを備えたことを特徴とする画像形成装置。
【発明の詳細な説明】
【技術分野】
【０００１】
本発明は、画像読取装置および画像形成装置に関し、例えば、スリットガラスに搬送される原稿を露光走査し、原稿の画像を読取る画像読取装置および画像形成装置に関する。
【背景技術】
【０００２】
従来、複写機、ファクシミリ装置、スキャナ装置等の画像読取装置あるいは画像形成装置においては、複数枚の原稿からなる原稿束を原稿載置台に載置してスタートキーを押下すると、原稿を１枚ずつ分離してスリットガラスに搬送し、スリットガラスの下方で停止する画像読取手段によって原稿の読取りを行い、原稿の読取りが終了すると、原稿を所定の排紙位置に排紙するようにした自動原稿搬送装置（ＡＤＦ）を備えたものがある。
【０００３】
このような自動原稿搬送装置では、スリットガラスの下方に設けられた画像読取装置の本体側の光源によって原稿に光を照射し、この反射光を第１ミラー、レンズを介してＣＣＤ等の結像素子に結像して、原稿の画像を読取っている。
【０００４】
さらに、画像の読取りが終了した原稿は、スリットガラスからガイド部材によって掬い上げられ、排紙方向に搬送されるようになっている。このスリットガラスとガイド部材の間には僅かな隙間（０．２ｍｍ程度）があるので、スリットガラスと原稿が摩擦接触して原稿から紙粉が発生すると、この紙粉がスリットガラスとガイド部材の隙間およびスリットガラスとこのスリットガラスが載置されている板金部材との間を通って画像読取装置の本体内に落下し、さらにはスリットガラスの下方に位置する光源や第１ミラー等に付着してしまい、すじ画像の発生の原因となり、原稿の画像を正常に読取ることができなくなるという不具合があった。
【０００５】
このように紙粉が侵入するのを防止するために、スリットガラスとガイド部材を接着してしまうことが考えられるが、スリットガラスとガイド部材を接着すると、画像読取装置の組立て作業が複雑になるとともに、スリットガラスやガイド部材単体のメンテナンス作業を行うことが面倒なものとなってしまう。これに加えて、例えば、スリットガラスに傷が付いてスリットガラスだけを交換したい場合に、ガイド部材も同時に交換する必要が生じ、ランニングコストが増大してしまう。
【０００６】
このような不具合を解消する画像読取装置としては、図１２、図１３に示すものや図１４に示すものが知られている。
図１２、図１３において、画像形成装置の本体１の上面には、板金性の載置部材２がネジ等によって固定されており、この載置部材２の下方には、図示しない光源、第１ミラー等の読取光学系からなる画像読取手段が停止するようになっている。載置部材２には開口部２ａが設けられており、この開口部２ａを通して光源から光が照射されるようになっている。
【０００７】
載置部材２には開口部２ａの全面を覆うようにスリットガラス３が載置されており、このスリットガラス３の下流側には読取りの終了した原稿を掬い上げて下流側に搬送するガイド部材４が設けられている。このガイド部材４の上面には下流側に向かって上方に傾斜する傾斜面が形成されており、傾斜面のスリットガラス３側はスリットガラス３の上面よりも下方に位置している。
【０００８】
また、スリットガラス３の下面一端縁には、ポリエステルフィルム等からなるシート状の薄型弾性部材５がスリットガラス３の長手方向に亘って装着されており、薄型弾性部材５はガイド部材４側に突出する形状を有している。
【０００９】
また、スリットガラス３はコの字形状の押え部材６によって載置部材２に押圧されるようにして本体１に固定されており、ガイド部材４は押え部材６の両端部によって押圧されるようにして本体１に固定されている。
【００１０】
この画像読取装置にあっては、原稿Ｐがスリットガラス３を通過する際に発生し、画像読取装置の振動等の影響でガイド部材４とスリットガラス３の間に進入した紙粉を薄型弾性部材５によって遮ることができ、スリットガラス３と載置部材２の間を通って画像読取装置の本体１内に進入するのを防止することができる（例えば、特許文献１参照）。
【００１１】
一方、図１４に示すものは、薄型弾性部材５に代えて、スリットガラス３とガイド部材４の間に金属板材８を設けたものである。この金属板材８は図示しない両面テープによって載置部材２に接着されており、ガイド部材４によって上から押圧されることによって載置部材２に密着している。
【００１２】
また、金属板材８のスリットガラス３側は上方に屈曲される屈曲部８ａが設けられており、この屈曲部８ａがスリットガラス３とガイド部材４の間に介装されることによって、ガイド部材４とスリットガラス３の間に進入した紙粉９を屈曲部８ａによって遮ることができ、スリットガラス３と載置部材２の間を通って画像読取装置の本体１内に進入するのを防止することができる（例えば、特許文献２参照）。
【００１３】
上述した画像形成装置は、スリットガラス３とガイド部材４を接着することなく、紙粉の侵入を防止することができるため、画像読取装置の組立て作業が複雑になるのを防止することができるとともに、スリットガラス３やガイド部材４のメンテナンス作業を単体で容易に行うことができる。
【００１４】
これに加えて、例えば、スリットガラス３に傷が付いてスリットガラス３だけを交換したい場合に、ガイド部材４も同時に交換するのを不要にでき、ランニングコストが増大してしまうのを防止することができる。
【特許文献１】特開２００２−３５４１９１号公報
【特許文献２】特開２００３−２９５３５７号公報
【発明の開示】
【発明が解決しようとする課題】
【００１５】
しかしながら、このような従来の画像読取装置にあっては、薄型弾性部材５または金属板材８をガイド部材４によって載置部材２に押え付けるようにしているため、載置部材２が必要になってしまう。このため、載置部材２を設ける分だけ、部品点数が増大してしまい、画像読取装置の製造コストが増大してしまい、未だ改善の余地がある。
【００１６】
これに加えて、載置部材２の上に薄型弾性部材５または金属板材８を載置しているため、載置部材２の板厚分だけ、画像読取装置の高さが高くなってしまい、未だ改善の余地がある。
【００１７】
特に、画像読取装置では、第１ミラー等が副走査方向に移動したときに、スリットガラス３等に衝突しないように十分な高さを確保する必要があるため、画像読取装置の高さが高くなる傾向がある。したがって、画像形成装置の高さを低くする工夫が必要となる。
【００１８】
本発明はこのような課題を解決するためになされたもので、簡素化、小型化および低コスト化を実現することができるようにして、紙粉等の異物が装置本体内に侵入するのを防止することができる画像読取装置および画像形成装置を提供するものである。
【課題を解決するための手段】
【００１９】
本発明の画像読取装置は、搬送中の原稿の画像面を読取る画像読取手段と、前記画像読取手段に対向して設けられ、前記原稿が搬送される搬送面を有するスリットガラスと、前記スリットガラスに対して原稿の搬送方向下流側に前記スリットガラスに隣接して設けられ、前記スリットガラスから原稿を掬い上げるように原稿の搬送方向下流側に向かって上方に傾斜する傾斜面を有するガイド部材と、前記スリットガラスの下面の一端縁から突出して設けられ、前記スリットガラスの長手方向に亘って延在する弾性部材とを備えた画像読取装置において、前記スリットガラスに対向する前記ガイド部材の一端縁に凹部を設け、前記凹部は、前記弾性部材の上下面を覆うように前記弾性部材を挟み込むものから構成されている。
【００２０】
この構成により、スリットガラスの下面の一端縁から突出する弾性部材をガイド部材の一端縁に設けられた凹部に挿通し、凹部によって弾性部材の上下面を覆うように弾性部材を挟み込むようにしたので、スリットガラスとガイド部材の間で弾性部材と凹部が重なり合い、スリットガラスとガイド部材の間から紙粉等の異物が装置本体内に侵入するのを防止することができる。この結果、画像読取手段に異物が付着してすじ画像が発生するのを防止することができる。
【００２１】
また、凹部によって弾性部材の上下面を覆うように弾性部材を挟み込むことにより、弾性部材をガイド部材に保持させることができるため、従来のような板金性の載置部材を廃止することができ、部品点数を少なくすることができる。このため、画像読取装置の構成を簡素化することができるとともに、製造コストを低減することができる。また、画像読取装置の高さを低くすることができ、画像読取装置を小型化することができる。
【００２２】
さらに、弾性部材を凹部に挿通したり、凹部から抜き出すことにより、スリットガラスとガイド部材を一体化して装置本体に対して着脱することができるため、画像読取装置の組立性およびメンテナンス性を良好にすることができる。
【００２３】
また、本発明の画像読取装置は、前記弾性部材の突出方向先端部が、前記スリットガラスの下面の一端縁に対して上方に位置しているものから構成されている。
【００２４】
この構成により、弾性部材の突出方向先端部をスリットガラスの下面の一端縁に対して上方に位置させたので、スリットガラスとガイド部材の隙間から凹部内に侵入した異物を弾性部材の上方への傾斜を利用してスリットガラス側に寄せることができる。このため、凹部と弾性部材の間の隙間を通ってスリットガラスとガイド部材の間から紙粉等の異物が装置本体内に侵入するのをより一層防止することができる。
【００２５】
また、本発明の画像読取装置は、前記凹部が、前記弾性部材の上下面を覆う底板および上板を有し、前記底板が原稿の搬送方向下流側に向かうに従って上方に傾斜する傾斜面を有するものから構成されている。
【００２６】
この構成により、ガイド部材の凹部が原稿の上下面を覆う底板および上板を有し、底板が原稿の搬送方向下流側に向かうに従って上方に傾斜する傾斜面を有するので、スリットガラスとガイド部材の隙間から凹部内に侵入した異物が底板の傾斜面によって凹部の奥側に侵入し難くすることができる。このため、凹部と弾性部材の間の隙間を通ってスリットガラスとガイド部材の間から紙粉等の異物が装置本体内に侵入するのをより一層防止することができる。
【００２７】
また、本発明の画像読取装置は、前記弾性部材の突出長さが、前記凹部の深さよりも長く形成され、前記弾性部材の突出方向先端部が、上方に屈曲するものから構成されている。
【００２８】
この構成により、弾性部材の突出長さを凹部の深さよりも長く形成し、弾性部材の突出方向先端部を上方に屈曲させたので、弾性部材を凹部に挿通したときに弾性部材の先端部を凹部の奥に衝突させて先端部を上方に反った方向に撓ませることができる。
【００２９】
このため、スリットガラスとガイド部材の隙間から凹部内に侵入した異物を弾性部材の先端部によって凹部の奥側に侵入し難くすることができる。したがって、凹部と弾性部材の間の隙間を通ってスリットガラスとガイド部材の間から紙粉等の異物が装置本体内に侵入するのをより一層防止することができる。
【００３０】
また、本発明の画像読取装置は、前記凹部の底板が延在部を有し、前記延在部は、前記凹部の上板に対して前記スリットガラス側に延在し、前記延在部に前記スリットガラスが載置されるものから構成されている。
【００３１】
この構成により、凹部の底板に延在部を設け、この延在部を凹部の上板に対してスリットガラス側に延在させて延在部にスリットガラスを載置するようにしたので、ガイド部材の浮き上がりを防止することができ、原稿を安定して搬送することができる。
【００３２】
すなわち、ガイド部材は、スリットガラスに近接して設けられるコンタクトガラスに両面テープ等で接着されているが、接着が剥がれたり、光源からの熱によって変形してガイド部材がコンタクトガラスから浮き上がってしまうと、ガイド部材の傾斜面のスリットガラス側端縁の位置がスリットガラスの上面より高くなってしまい、スリットガラスに原稿の先端部が引っ掛かって原稿を安定して搬送し難くなる。
【００３３】
本発明では、延在部を凹部の上板に対してスリットガラス側に延在させて延在部にスリットガラスを載置するようにしたので、スリットガラスの下側にガイド部材の底板を位置させることができ、ガイド部材の浮き上がりを防止して原稿を安定して原稿することができる。
また、ガイド部材が浮き上がるのを防止することができるため、スリットガラスの上面とガイド部材の傾斜面との段差を小さく設定することができる。換言すれば、スリットガラスの上面とガイド部材の傾斜面との段差をガイド部材の浮き上がりを考慮して大きく設定する必要がなく、その分だけ画像読取装置の高さを低くすることができる。
【００３４】
また、本発明の画像読取装置は、前記ガイド部材の傾斜面の前記スリットガラス側端縁が、原稿の搬送方向上流側に向かって上方に傾斜するものから構成されている。
【００３５】
この構成により、ガイド部材の傾斜面のスリットガラス側端縁を原稿の搬送方向上流側に向かって上方に傾斜させるようにしたので、ガイド部材のスリットガラス側端縁に対してガイド部材の下流側の傾斜面との間に窪みを形成することができる。
【００３６】
このため、スリットガラスとの摩擦接触によって発生する原稿の紙粉等の異物を窪みに溜めることができ、異物がスリットガラスとガイド部材の間に移動するのを遅らせることができ、スリットガラスとガイド部材の間から紙粉等の異物が装置本体内に侵入するのをより一層防止することができる。
【００３７】
また、本発明の画像読取装置は、前記弾性部材が、表面に粘着性を有する粘着性弾性体を有するものから構成されている。
【００３８】
この構成により、表面に粘着性を有する粘着性弾性体を弾性部材に設けたので、異物を粘着性弾性体に吸着することができ、スリットガラスとガイド部材の間から紙粉等の異物が装置本体内に侵入するのをより一層防止することができる。
【００３９】
また、本発明の画像形成装置は、記録媒体に画像を形成する画像形成手段と、上述した画像読取装置とを備えたものから構成されている。
この構成により、スリットガラスとガイド部材の間で弾性部材と凹部が重なり合い、スリットガラスとガイド部材の間から紙粉等の異物が装置本体内に侵入するのを防止することができる。この結果、画像読取手段に異物が付着してすじ画像が発生するのを防止することができる。
【００４０】
また、スリットガラスの下面の一端縁から突出する弾性部材をガイド部材の凹部に挿通して、凹部によって弾性部材の上下面を覆うように弾性部材を挟み込むことにより、弾性部材をガイド部材に保持させることができるため、従来のような板金性の載置部材を廃止することができ、部品点数を少なくすることができる。このため、画像形成装置の構成を簡素化することができるとともに、製造コストを低減することができる。また、画像形成装置の高さを低くすることができ、画像形成装置を小型化することができる。
【００４１】
さらに、弾性部材を凹部に挿通したり、凹部から抜き出すことにより、スリットガラスとガイド部材を一体化して装置本体に対して着脱することができるため、画像形成装置の組立性およびメンテナンス性を良好にすることができる。
【発明の効果】
【００４２】
以上説明したように、簡素化、小型化および低コスト化を実現することができるようにして、紙粉等の異物が装置本体内に侵入するのを防止することができる画像読取装置および画像形成装置を提供することができる。
【発明を実施するための最良の形態】
【００４３】
以下、本発明の実施の形態について、図面を用いて説明する。
（第１の実施の形態）
図１〜図５は本発明に係る画像読取装置および画像形成装置の第１の実施の形態を示す図であり、本実施の形態では、画像形成装置を複写機に適用した例を示している。
【００４４】
なお、画像形成装置としては複写機以外にファクシミリ装置、プリンタ装置、複写機能とファクシミリ機能等を備えた複合機等に適用することができる。また、画像読取装置としては、スキャナ装置、ファクシミリ装置、複写機能とファクシミリ機能等を備えた複合機等に適用することができる。
【００４５】
まず、構成を説明する。
図１において、画像形成装置としての複写機１１は、記録媒体にトナー像を形成する画像形成手段１２と、この画像形成手段１２によって形成された記録媒体上のトナー像を、その記録媒体に定着する定着装置１３と、画像形成手段１２に記録媒体を給送する記録媒体搬送装置１４と、画像形成手段１２、定着装置１３および記録媒体搬送装置１４を収容する第１の装置本体１５と、原稿画像を読取る画像読取手段１６と、画像読取手段１６を収容する第２の装置本体１７と、原稿を搬送する開閉体として圧板の機能を有する自動原稿搬送装置（以下、単にＡＤＦという）１８とを備えており、図２に示すようにＡＤＦ１８は第２の装置本体１７にヒンジ機構１９を介して第２の装置本体１７に開閉自在に搭載されている。
【００４６】
ＡＤＦ１８は、原稿束を載置可能な原稿載置台２０と、原稿載置台２０に載置された原稿束の上面に当接して原稿束を送り出す当接位置および原稿束から離隔する離隔位置の間で移動するピックアップローラ２１と、ピックアップローラ２１によって送り出された原稿束から原稿を１枚ずつ分離して読取位置であるスリットガラス３６に向かって搬送する給紙ベルト２２、リバースローラ２３、搬送ローラ対２４からなる原稿搬送手段２５と、読取位置で読取りが終了した原稿を原稿排紙台２６に排紙する搬送ローラ対２７および排紙ローラ対２８からなる原稿排紙手段２９とを備えている。
【００４７】
また、排紙ローラ対２８は、駆動ローラ２８ａと、駆動ローラ２８ａに摺接する従動ローラ２８ｂおよび従動ローラ２８ｃとを備えており、排紙ローラ対２８の近傍には切換爪３０が設けられている。
【００４８】
切換爪３０は、第１の切換位置と第２の切換位置との間で移動するようになっており、切換爪３０が第１の切換位置に切換えられると、駆動ローラ２８ａおよび従動ローラ２８ｂによって原稿が原稿排紙台２６に排紙されるようになっている。
【００４９】
また、切換爪３０が第２の切換位置に切換えられると、駆動ローラ２８ａおよび従動ローラ２８ｃによって原稿がスイッチバック通路３１に搬送されるようになっている。
【００５０】
スイッチバック通路３１には正逆回転自在なスイッチバックローラ対３２が設けられており、スイッチバック通路３１に搬送される原稿は、スイッチバックローラ対３２によって図１中、右方向に搬送された後、スイッチバックローラ対３２が逆転駆動することにより、再搬送経路を介して搬送ローラ対２４に搬送される。このため、原稿が反転されて読取位置に搬送される。
【００５１】
また、画像読取手段１６は、それ自体周知のように、光学系３４を収容した第２の装置本体１７と、第２の装置本体１７の上部に固定配置されたコンタクトガラス３５およびスリットガラス３６とを備えている。
【００５２】
この画像読取手段１６にあっては、閉じられた原稿や本等からなる原稿をコンタクトガラス３５上に原稿を載置して、その原稿ＰをＡＤＦ１８によって押圧することにより、原稿を読取ることができる。また、ＡＤＦ１８によって自動搬送される原稿はスリットガラス３６の読取位置で読取られるようになっている。
【００５３】
すなわち、画像読取手段としての光学系３４は、光源３７と第１ミラー３８とを有する第１走行体３９と、第２ミラー４０および第３ミラー４１を有する第２走行体４２と、結像レンズ４３と、ＣＣＤイメージセンサ４４とを備えており、第１走行体３９および第２走行体４２は、図１に示した位置から右方に移動し、このとき、光源３７から出射する光によって原稿を照明し、その反射光を第１ミラー３８、第２ミラー４０および第３ミラー４１の順に反射した後、結像レンズ４３を通してＣＣＤイメージセンサ４４に入射する。このようにして原稿画像がＣＣＤイメージセンサ４４に結像されることにより、原稿の画像が読取られる。
【００５４】
また、ＡＤＦ１８によって原稿を読取る場合には、図１中、右方に示す位置に第１走行体３９および第２走行体４２を固定した状態で上述した手順で走行する原稿を読取る。
【００５５】
また、画像形成手段１２は、ドラム状の感光体からなる第１像担持体４５Ｙ、第２像担持体４５Ｃ、第３像担持体４５Ｍおよび第４像担持体４５ＢＫを備えており、これら第１〜第４像担持体４５Ｙ〜４５ＢＫには、複数の支持ローラに巻き掛けられた無端ベルトからなる中間転写ベルト４６が対向配置されている。
【００５６】
また、第１〜第４像担持体４５Ｙ〜４５ＢＫは、それぞれ図１における時計方向に回転駆動されるようになっており、中間転写ベルト４６は図１中、矢印Ａ方向に回転駆動される。このとき、第１像担持体４５Ｙは、帯電ローラ４７によって所定の極性に帯電される。
【００５７】
また、光書き込みユニット４８からは、上述した原稿の読取り結果に応じた画信号に基づいて光変調されたレーザビームＬが出射されるようになっており、第１像担持体４５Ｙの帯電面にそのレーザビームＬが照射されることによって第１像担持体４５Ｙに静電潜像が形成され、この静電潜像は現像装置４９によってイエロートナー像として可視像化される。
【００５８】
また、一次転写ローラ５０には、転写電圧が印加されることによって、第１像担持体４５Ｙ上に形成されたトナー像が図１中、矢印Ａ方向に回転する中間転写ベルト４６上に一次転写される。
【００５９】
トナー像転写後の第１像担持体４５Ｙ上に付着する転写残トナーは、クリーニング装置５２によって除去される。本実施の形態の複写機１１においては、第１像担持体４５Ｙと、その周囲に配設された帯電ローラ４７と、現像装置４９と、クリーニング装置５２とによって一体的なプロセスカートリッジが構成されている。
【００６０】
また、現像装置４９は、粉体状のトナーを収容した現像容器５３を有し、そのトナーによって静電潜像が可視像化される。また、現像容器５３内のトナー量が減少したとき、トナーボトル５４Ｙから現像容器５３にトナーが補給される。
【００６１】
一方、クリーニング装置５２は、第１像担持体４５Ｙから除去されたトナーを受け入れるクリーニング容器５５を備えており、クリーニング容器５５内のトナーは、トナー搬送装置によって、図示していない廃トナー容器に搬送される。このように、現像容器５３、トナーボトル５４Ｙ、クリーニング容器５５および廃トナー容器にはトナーが収容されている。
【００６２】
また、上述した動作と同様にして、第２像担持体４５Ｃ、第３像担持体４５Ｍおよび第４像担持体４５ＢＫ上にシアントナー像、マゼンタトナー像およびブラックトナー像がそれぞれ形成され、これらのトナー像がイエロートナー像の転写された中間転写ベルト４６上に順次重ねて一次転写される。
【００６３】
これらの第２像担持体４５Ｃ、第３像担持体４５Ｍ、第４像担持体４５ＢＫにトナー像を形成する現像装置の現像容器内のトナー量が減少したときも、各トナーボトル５４Ｃ、５４Ｍ、５４ＢＫから、その各現像容器にトナーが補給される。
【００６４】
このようにして、中間転写ベルト４６上に転写された重ねトナー像は、二次転写ローラ５６の作用によって記録媒体に二次転写され、その転写後の中間転写ベルト４６上に付着する転写残トナーは、ベルト用のクリーニング装置５２により除去される。このクリーニング装置５２のクリーニング容器５５にもトナーが収容され、そのトナーは図示していない廃トナー容器に搬送される。
【００６５】
また、記録媒体搬送装置１４は中間転写ベルト４６の下方に配置されており、この記録媒体搬送装置１４は、転写紙または樹脂シート等からなる記録媒体Ｓを収容した給紙カセット５７と、最上位の記録媒体Ｓに接触する給紙ローラ５８と、レジストローラ対５９とを有し、給紙ローラ５８の回転によって最上位の記録媒体Ｓが図１中、矢印Ｂ方向に送り出される。送り出された記録媒体Ｓは、レジストローラ対５９の回転によって、所定のタイミングで中間転写ベルト４６と、中間転写ベルト４６に対向配置された二次転写ローラ５６との間に給送される。
【００６６】
この記録媒体Ｓが中間転写ベルト４６と二次転写ローラ５６との間を通過するとき、二次転写ローラ５６には転写電圧が印加されることによって中間転写ベルト４６上の重ねトナー像が記録媒体に二次転写される。このようにして、画像形成手段１２により、記録媒体上にトナー像が形成されるのである。
【００６７】
また、トナー像が形成された記録媒体は定着装置１３を通過し、このとき画像形成手段１２によって形成された記録媒体上のトナー像がその記録媒体に定着される。また、定着装置１３によって画像が定着された記録媒体Ｓは排紙ローラ対６０によって記録媒体排紙台６１上に排紙される。
【００６８】
この記録媒体排紙台６１は、画像形成手段１２を収納する第１の装置本体１５と画像読取手段１６を収納する第２の装置本体１７の間に形成されており、本実施の形態では、排紙ローラ対６０による記録媒体Ｓの排紙方向下流側の第１の装置本体１５および第２の装置本体１７の間が開放される胴内排紙型の複写機１１となっている。
【００６９】
また、排紙ローラ対４２の上流側には切換レバー６２が設けられており、この切換レバー６２は記録媒体の表面の複写が終了したときに、記録媒体Ｓの裏面に複写を行うときに、反転通路６３側に切換えられるようになっている。
【００７０】
すなわち、記録媒体Ｓの後端が排紙ローラ対６０に挟持されると、排紙ローラ対６０が逆転駆動するとともに、切換レバー６２が反転通路６３に連通する位置に切換えられ、記録媒体Ｓが反転通路６３に向かって搬送される。
【００７１】
この反転通路６３には反転ローラ対６４が設けられており、この反転ローラ対６４によって反転通路６３を搬送される記録媒体は、二次転写ローラ５６側に搬送される。
【００７２】
一方、スリットガラス３６上には反射ガイド板６５が設けられており、この反射ガイド板６５は原稿の読取時の白基準を構成するとともに、光源３７からの光を反射するようになっている。
【００７３】
また、コンタクトガラス３５とスリットガラス３６の間には図３に示すようなガイド部材７１が設けられており、このガイド部材７１は、スリットガラス３６を通過した原稿を掬い上げて搬送ローラ対２７に向かって案内するようになっている。
【００７４】
このガイド部材７１の上面は、スリットガラス３６から原稿を掬い上げるように原稿の搬送方向下流側に向かって上方に傾斜する傾斜面７１ａを有しており、ガイド部材７１の下面側にはコンタクトガラス３５に載置される載置面７１ｂが形成され、この載置面７１ｂが図示しない両面テープによってコンタクトガラス３５に固定されている。
なお、載置面７１ｂには原稿読取時の白基準となる白板をコンタクトガラス３５に対して貼り付け、さらにガイド部材７１を接着固定する構成でもよい。このような構成をとると白基準用の白板と原稿が接触せず、汚れにくいという長所がある。また、この白板をガイド部材７１に貼り付け、ガイド部材７１をコンタクトガラス３５に対して接着固定してもよい。
【００７５】
また、スリットガラス３６の下面にはポリエステルフィルムやポリマーフィル等から構成される弾性部材としての薄型弾性部材７２が装着されており、この薄型弾性部材７２は、スリットガラス３６の一端縁から突出して設けられているとともに、スリットガラス３６の長手方向に亘って延在している（図４（ａ）参照）。
【００７６】
この薄型弾性部材７２は、図示しない両面粘着テープや接着剤等でスリットガラス３６に密着するようにしてスリットガラス３６に結合されている。なお、薄型弾性部材７２は、ポリエステルフィルムやポリマーフィルムでなくともよく、また、スリットガラス３６と一体成形であってもよい。
【００７７】
また、図３、図４（ｂ）に示すように、ガイド部材７１には凹部７１ｃが設けられており、この凹部７１ｃは、図３（ｂ）に示すように、スリットガラス３６に対向して薄型弾性部材７２の上下面を覆うように薄型弾性部材７２を挟み込むようになっている。
【００７８】
また、図５に示すように、ガイド部材７１は、載置面７１ｂがコンタクトガラス３５の一端縁の上面に載置された状態で複写機１１の第１の装置本体１５に取付けられるようになっている。また、スリットガラス３６は、薄型弾性部材７２がガイド部材７１の凹部７１ｃに挿通された状態で第１の装置本体１５に載置されるようになっている。
【００７９】
そして、押え部材７３の中央部に設けられた押え部７３ａによってスリットガラス３６が第１の装置本体１５に押圧されるとともに、押え部材７３の両端部に設けられた腕部７３ｂ、７３ｃによってガイド部材７１が第１の装置本体１５に押圧された状態で、押え部材７３を図示しないネジによって第１の装置本体１５に固定されることにより、スリットガラス３６およびガイド部材７１が第１の装置本体１５に固定される。
【００８０】
このような構成を有する複写機１１にあっては、原稿載置台２０に載置された原稿束がピックアップローラ２１によって給紙ベルト２２に向かって送り出されると、共に反時計方向に回転する給紙ベルト２２およびリバースローラ２３によって原稿束の最上位の原稿が１枚分離される。
【００８１】
この分離された原稿は、搬送ローラ対２４によってスリットガラス３６上の読取位置に搬送された後、ガイド部材７１によって掬い上げられて搬送ローラ対２７に向かって搬送される。
【００８２】
スリットガラス３６を原稿が通過する際に、原稿がスリットガラス３６に摩擦接触するため、紙粉が発生し、原稿の搬送が繰り返し行われるうちに、紙粉がスリットガラス３６とガイド部材７１の間の窪み７４に溜まって来る。また、スリットガラス３６に付着したゴミ等も窪み７４に溜まって来る。
本実施の形態では、スリットガラス３６の下面の一端縁から突出する薄型弾性部材７２をガイド部材７１の一端縁に設けられた凹部７１ｃに挿通し、凹部７１ｃによって薄型弾性部材７２の上下面を覆うように薄型弾性部材７２を挟み込むようにしたので、スリットガラス３６とガイド部材７１の間で薄型弾性部材７２と凹部７１ｃが重なり合い、スリットガラス３６とガイド部材７１の間から紙粉等の異物が第１の装置本体１５内に侵入するのを防止することができる。この結果、第１ミラー３８や光源３７に異物が付着してすじ画像が発生するのを防止することができる。
【００８３】
また、スリットガラス３６の下面の一端縁から突出する薄型弾性部材７２をガイド部材７１の凹部７１ｃに挿通して、凹部７１ｃによって薄型弾性部材７２の上下面を覆うように薄型弾性部材７２を挟み込むことにより、薄型弾性部材７２をガイド部材７１に保持させることができるため、従来のようにスリットガラスやガイド部材を載置する板金性の載置部材を廃止することができ、部品点数を少なくすることができる。
【００８４】
このため、複写機１１の構成を簡素化することができるとともに、製造コストを低減することができる。また、複写機１１の高さを低くすることができ、複写機１１を小型化することができる。特に、本実施の形態のような胴内排紙型の複写機１１の場合には、原稿排紙台２６の上方の空間を広く確保することが可能になり、排紙原稿の取り出し性を良好にすることができる。
【００８５】
また、板金性の載置部材を廃止することができるため、光源３７から発生する高周波が載置部材から複写機の電子機器に伝達されて電子機器に悪影響を及ぼすのを防止することができる。
【００８６】
さらに、本実施の形態では、薄型弾性部材７２を凹部７１ｃに挿通したり、凹部７１ｃから抜き出すことにより、スリットガラス３６とガイド部材７１を一体化して第１の装置本体１５に対して着脱することができるため、複写機１１の組立性およびメンテナンス性を良好にすることができる。
【００８７】
（第２の実施の形態）
図６は、本発明に係る画像読取装置および画像形成装置の第２の実施の形態を示す図であり、第１の実施の形態と同様の構成には同一番号を付して説明を省略する。
図６において、弾性部材としての薄型弾性部材８１の突出方向先端部８１ａは、スリットガラス３６の下面の一端縁に対して上方に位置している。すなわち、薄型弾性部材８１は、突出方向の任意の位置から上方に屈曲されており、スリットガラス３６の一端縁側の取付け面に対して突出方向先端部８１ａが上方に位置している。
【００８８】
本実施の形態では、このように薄型弾性部材８１の突出方向先端部８１ａをスリットガラス３６の下面の一端縁に対して上方に位置させたので、スリットガラス３６とガイド部材７１の隙間から凹部７１ｃ内に侵入した異物を薄型弾性部材８１の上方への傾斜を利用してスリットガラス３６側に寄せることができる。このため、凹部７１ｃと薄型弾性部材８１の間の隙間を通ってスリットガラス３６とガイド部材７１の間から紙粉等の異物が第１の装置本体１５内に侵入するのをより一層防止することができる。
【００８９】
（第３の実施の形態）
図７は、本発明に係る画像読取装置および画像形成装置の第３の実施の形態を示す図であり、第１の実施の形態と同様の構成には同一番号を付して説明を省略する。
図７において、ガイド部材７１の凹部７１ｃが、原稿の上下面を覆う底板８２ａおよび上板８２ｂを備えており、底板８２ａが原稿の搬送方向下流側に向かうに従って上方に傾斜する傾斜面８２ｃを有している。
【００９０】
本実施の形態では、スリットガラス３６とガイド部材７１の隙間から凹部７１ｃ内に侵入した異物が底板８２ａの傾斜面８２ｃによって凹部７１ｃの奥側、すなわち、底板８２ａおよび上板８２ｂの奥側に侵入し難くすることができる。
【００９１】
このため、凹部７１ｃと薄型弾性部材７２の間の隙間を通ってスリットガラス３６とガイド部材７１の間から紙粉等の異物が第１の装置本体１５内に侵入するのをより一層防止することができる。
【００９２】
（第４の実施の形態）
図８は、本発明に係る画像読取装置および画像形成装置の第４の実施の形態を示す図であり、第１の実施の形態と同様の構成には同一番号を付して説明を省略する。
図８において、薄型弾性部材８３の突出長さａが、凹部７３ｃの深さｂよりも長く形成されており、薄型弾性部材８３の突出方向先端部８３ａが上方に屈曲するように構成されている。
【００９３】
本実施の形態では、薄型弾性部材８３を凹部７１ｃに挿通したときに薄型弾性部材８３の突出方向先端部８３ａを凹部７１ｃの奥に衝突させて突出方向先端部８３ａを上方に反った方向に撓ませることができる。
【００９４】
このため、スリットガラス３６とガイド部材７１の隙間から凹部７１ｃ内に侵入した紙粉等の異物を薄型弾性部材８３の突出方向先端部８３ａによって凹部７１ｃの奥側に侵入し難くすることができる。
【００９５】
したがって、凹部７１ｃと薄型弾性部材８３の間の隙間を通ってスリットガラス３６とガイド部材７１の間から紙粉等の異物が第１の装置本体１５内に侵入するのをより一層防止することができる。
【００９６】
（第５の実施の形態）
図９は、本発明に係る画像読取装置および画像形成装置の第５の実施の形態を示す図であり、第１の実施の形態および第３の実施の形態と同様の構成には同一番号を付して説明を省略する。
図９において、凹部７１ｃの底板８２ａは、延在部８２ｄを有しており、この延在部８２ｄは、凹部７１ｃの上板８２ｂに対してスリットガラス３６側に延在している。また、この延在部８２ｄにはスリットガラス３６が載置されている。
【００９７】
本実施の形態では、延在部８２ｄにスリットガラス３６を載置するようにしたので、ガイド部材７１の浮き上がりを防止することができ、原稿を安定して搬送することができる。
【００９８】
すなわち、ガイド部材７１は、スリットガラス３６に近接して設けられるコンタクトガラス３５に両面テープ等で接着されているが、接着が剥がれたり、光源３７からの熱によって変形してガイド部材７１がコンタクトガラス３５から浮き上がってしまうと、ガイド部材７１の傾斜面７１ａのスリットガラス３６側端縁の位置がスリットガラス３６の上面より高くなってしまい、スリットガラス３６に原稿の先端部が引っ掛かって原稿を安定して搬送し難くなる。
【００９９】
本実施の形態では、延在部８２ｄを凹部７１ｃの上板８２ｂに対してスリットガラス３６側に延在させて延在部８２ｄにスリットガラス３６を載置するようにしたので、スリットガラス３６の下側にガイド部材７１の底板８２ａを位置させることができ、ガイド部材７１の浮き上がりを防止して原稿を安定して原稿することができる。
【０１００】
また、本実施の形態では、ガイド部材７１が浮き上がるのを防止することができるため、スリットガラス３６の上面とガイド部材７１の傾斜面７１ａとの段差を小さく設定することができる。換言すれば、スリットガラス３６の上面とガイド部材７１の傾斜面７１ａとの段差をガイド部材７１の浮き上がりを考慮して大きく設定する必要がなく、その分だけ複写機１１の高さを低くすることができる。
また、第１の実施の形態に示すように、白基準用の白板をガイド部材７１に貼り付けてからコンタクトガラス３５に接着するような構成をとった場合に、接着面積が小さくなってしまうおそれがある。
これに対して、本実施の形態では、延在部８２ｄがスリットガラス３６を載置するようにしているので、延在部８２ｄをスリットガラス３６の下側に位置させることができ、ガイド部材７１がコンタクトガラス３５から剥がれようとした場合でも、延在部８２ｄがスリットガラス３６に引っ掛かる。このため、ガイド部材７１をコンタクトガラス３５に確実に接着させることができ、ガイド部材７１がコンタクトガラス３５から剥がれてしまうのを確実に防止することができる。
【０１０１】
（第６の実施の形態）
図１０は、本発明に係る画像読取装置および画像形成装置の第６の実施の形態を示す図であり、第１の実施の形態および第３の実施の形態と同様の構成には同一番号を付して説明を省略する。
図１０において、ガイド部材７１の傾斜面７１ａのスリットガラス３６側端縁には原稿の搬送方向上流側に向かって上方に傾斜する傾斜面７１ｆが形成されており、ガイド部材７１のスリットガラス３６側端縁に対してガイド部材７１の下流側の傾斜面７１ａとの間、すなわち、傾斜面７１ａと傾斜面７１ｆの間には窪みを８４が形成されている。
【０１０２】
したがって、本実施の形態では、スリットガラス３６との摩擦接触によって発生する原稿の紙粉やスリットガラスに付着したゴミ等の異物を窪み８４に溜めることができ、異物がスリットガラス３６とガイド部材７１の間に移動するのを遅らせることができ、スリットガラス３６とガイド部材７１の間から紙粉等の異物が第１の装置本体１５内に侵入するのをより一層防止することができる。
【０１０３】
（第７の実施の形態）
図１１は、本発明に係る画像読取装置および画像形成装置の第７の実施の形態を示す図であり、第１の実施の形態と同様の構成には同一番号を付して説明を省略する。
図１１において、薄型弾性部材７２の上面には粘着性弾性体８５が設けられており、この粘着性弾性体８５は、例えば、表面に接着剤が薄く塗布されることにより、異物を吸着可能になっている。
【０１０４】
本実施の形態では、薄型弾性部材７２の上面に、表面に粘着性を有する粘着性弾性体８５を設けたので、異物を粘着性弾性体８５に吸着することができ、スリットガラス３６とガイド部材７１の間から紙粉等の異物が第１の装置本体１５内に侵入するのをより一層防止することができる。
【産業上の利用可能性】
【０１０５】
以上のように、本発明に係る画像読取装置および画像形成装置は、簡素化、小型化および低コスト化を実現することができるようにして、紙粉等の異物が装置本体内に侵入するのを防止することができるという効果を有し、スリットガラスに搬送される原稿を露光走査し、原稿の画像を読取る画像読取装置および画像形成装置等として有用である。
【図面の簡単な説明】
【０１０６】
【図１】本発明に係る画像読取装置および画像形成装置の第１の実施の形態を示す図であり、画像形成装置としての複写機の概略構成図である。
【図２】第１の実施の形態のＡＤＦを開放した状態を示す複写機の要部斜視図である。
【図３】（ａ）は、第１の実施の形態の薄型弾性部材とガイド部材を離隔した状態を示す図、（ｂ）は、薄型弾性部材をガイド部材の凹部に挿通した状態を示す図である。
【図４】（ａ）は、スリットガラスの正面図、（ｂ）は、ガイド部材の正面図である。
【図５】第１の実施の形態のスリットガラス、ガイド部材、コンタクトガラスおよび押え部材を複写機の本体に装着する前の状態を示す図である。
【図６】本発明に係る画像読取装置および画像形成装置の第２の実施の形態を示す図であり、（ａ）は、薄型弾性部材とガイド部材を離隔した状態を示す図、（ｂ）は、薄型弾性部材をガイド部材の凹部に挿通した状態を示す図である。
【図７】本発明に係る画像読取装置および画像形成装置の第３の実施の形態を示す図であり、（ａ）は、薄型弾性部材とガイド部材を離隔した状態を示す図、（ｂ）は、薄型弾性部材をガイド部材の凹部に挿通した状態を示す図である。
【図８】本発明に係る画像読取装置および画像形成装置の第４の実施の形態を示す図であり、（ａ）は、薄型弾性部材とガイド部材を離隔した状態を示す図、（ｂ）は、薄型弾性部材をガイド部材の凹部に挿通した状態を示す図である。
【図９】本発明に係る画像読取装置および画像形成装置の第５の実施の形態を示す図であり、（ａ）は、薄型弾性部材とガイド部材を離隔した状態を示す図、（ｂ）は、薄型弾性部材をガイド部材の凹部に挿通した状態を示す図である。
【図１０】本発明に係る画像読取装置および画像形成装置の第６の実施の形態を示す図であり、（ａ）は、薄型弾性部材とガイド部材を離隔した状態を示す図、（ｂ）は、薄型弾性部材をガイド部材の凹部に挿通した状態を示す図である。
【図１１】本発明に係る画像読取装置および画像形成装置の第７の実施の形態を示す図であり、（ａ）は、薄型弾性部材とガイド部材を離隔した状態を示す図、（ｂ）は、薄型弾性部材をガイド部材の凹部に挿通した状態を示す図である。
【図１２】従来の画像読取装置の要部側断面図である。
【図１３】従来のスリットガラス、ガイド部材、コンタクトガラス、押え部材および載置部材を画像形成装置の本体に装着する前の状態を示す図である。
【図１４】従来の他の画像読取装置の要部側断面図である。
【符号の説明】
【０１０７】
１１  複写機（画像形成装置）
１２  画像形成手段
１６  画像読取手段
３６  スリットガラス
７１  ガイド部材
７１ａ  傾斜面
７１ｃ  凹部
７１ｆ、８２ｃ  傾斜面
７２、８１、８３  薄型弾性部材（弾性部材）
８１ａ、８３ａ  突出方向先端部
８２ａ  底板
８２ｂ  上板
８２ｃ  傾斜面
８２ｄ  延在部
８５  粘着性弾性体
【図１】
2009118154.tif 000003
【図２】
2009118154.tif 000004
【図３】
2009118154.tif 000005
【図４】
2009118154.tif 000006
【図５】
2009118154.tif 000007
【図６】
2009118154.tif 000008
【図７】
2009118154.tif 000009
【図８】
2009118154.tif 000010
【図９】
2009118154.tif 000011
【図１０】
2009118154.tif 000012
【図１１】
2009118154.tif 000013
【図１２】
2009118154.tif 000014
【図１３】
2009118154.tif 000015
【図１４】
2009118154.tif 000016